(57)【要約】【課題】内装トリム本体にアームレストとオーナメントカバーを連接して装備した内装部品において、アームレストとオーナメントカバーとの間の合わせを良好に維持するとともに、衝撃吸収性能を高める。【解決手段】ドアトリム本体４０にアームレスト５０をビス固定、及びアームレスト５０の取付用舌片５５をドアトリム本体４０に対して爪係合することで組み付ける。次いで、アームレスト５０の下端縁に合わせ接合するオーナメントカバー６０の合わせを調整しながらオーナメントカバー６０をクリップ６３等の固定具を介して取付用舌片５５に組み付ける。よって、アームレスト５０とオーナメントカバー６０との合わせ部Ａの外観見栄えを高めるとともに、側突時、取付用舌片５５が受けリブ３３を乗り越え、変形ストローク量を確保することで衝撃吸収性能を高める。【選択図】図２
2008006906.tif 000002
【特許請求の範囲】
【請求項１】
車両の側壁パネルの室内面側に取り付けられる内装トリム本体（２０）と、内装トリム本体（２０）の表面ほぼ中央に装着されるアームレスト（５０）と、このアームレスト（５０）の下端縁に沿って連接されるオーナメントカバー（６０）とからなる自動車用内装部品（１０）において、
前記アームレスト（５０）は、樹脂成形体からなるアームレスト芯材（５１）の表面にアームレスト表皮（５３）を被包して構成され、アームレスト芯材（５１）の内奥側における取付部（５４）を内装トリム本体（２０）に固定する一方、アームレスト芯材（５１）の手前側において、下方向に延びる取付用舌片（５５）を設け、この取付用舌片（５５）を内装トリム本体（２０）に係着固定するとともに、アームレスト（５０）の下端縁に沿ってオーナメントカバー（６０）を両者の合わせを調整しながら位置決めし、上記アームレスト（５０）の取付用舌片（５５）にオーナメントカバー（６０）を固定具（６２）を介して固定したことを特徴とする自動車用内装部品。
【請求項２】
前記アームレスト芯材（５１）から下方向に延設される取付用舌片（５５）の手前側に内装トリム本体（２０）の係止爪（３２）が係着する一方、取付用舌片（５５）の裏面側には、受けリブ（３３）が当接し、側突時、アームレスト（５０）並びにオーナメントカバー（６０）に外力が加わった際、アームレスト（５０）の取付用舌片（５５）が受けリブ（３３）を乗り超えることで、アームレスト（５０）並びにオーナメントカバー（６０）の変形ストローク量を多く確保できるようにしたことを特徴とする請求項１に記載の自動車用内装部品。
【請求項３】
前記内装トリム本体（２０）に形成される受けリブ（３３）にスリット（３３ａ）、あるいは受けリブ（３３）の背面側に開口（３４）が開成され、スリット（３３ａ）並びに開口（３４）により側突時における内装トリム本体（２０）の破断を促進させるようにしたことを特徴とする請求項１又は２に記載の自動車用内装部品。
【請求項４】
前記アームレスト（５０）における取付用舌片（５５）の下端縁（５５ａ）が下方向に延長形成され、かつこの取付用舌片（５５）の下端縁（５５ａ）を受ける水平方向に延びる受け面（３５）が内装トリム本体（２０）に設けられていることを特徴とする請求項１乃至３のいずれかに記載の自動車用内装部品。
【発明の詳細な説明】
【技術分野】
【０００１】
この発明は、ドアトリム、リヤサイドトリム、ラゲージサイドトリム等、車両の側壁パネルの室内面側に内装される自動車用内装部品に係り、特に、内装トリム本体の略中央にアームレストとオーナメントカバーを見栄え良く取り付けることを可能にした自動車用内装部品に関する。
【背景技術】
【０００２】
通常、車両の側壁パネルの室内面側には、ドアトリム、リヤサイドトリム、ラゲージサイドトリム等の自動車用内装部品が装着されており、車室内の美観を高めるとともに、側突時等、車両に側方からの衝撃荷重が加わった際、内装部品自体が撓み変形することで衝撃荷重の一部を吸収し、乗員に加わる負荷を軽減する構成が採用されている。図７は従来のドアトリム１を示すもので、このドアトリム１は、ドアトリムアッパー２とドアトリムロア３の上下二分割構造のドアトリム本体４の表面略中央部に乗員が肘を掛けて休めるアームレスト５が設けられているとともに、このアームレスト５の下縁に沿って外観見栄えを高めるオーナメントカバー６が装着されている。
【０００３】
上記アームレスト５とオーナメントカバー６をドアトリム本体４に取り付ける従来構造を図８，図９を基に説明する。まず、アームレスト５は、合成樹脂の射出成形体からなり、製品形状を保持するアームレスト芯材５ａの表面にクッション性を付与するアームレストパッド５ｂが積層され、それらの表面を外観意匠性並びに手触り感を向上させるためのアームレスト表皮５ｃにより被包して構成されている。次いで、このアームレスト５をドアトリム本体４に取り付けるには、アームレスト５の内奥縁側に対応してアームレスト芯材５ａに形成した取付用ボス部５ｄにドアトリムアッパー２の取付孔２ａを合致させ、ビス５ｅを締付け固定するとともに、アームレスト芯材５ａの内奥縁側及び手前側にそれぞれ対応して設けられている係止爪５ｆをドアトリムロア３の開口３ａの縁部に係着することで、アームレスト５がドアトリム本体４に取り付けられている。更に、アームレスト５とは別体部品となるオーナメントカバー６は、合成樹脂の射出成形体から構成されており、オーナメントカバー６の裏面にパネル側に向けて突設されたクリップ取付座６ａにクリップ６ｂを装着し、ドアトリムロア３に開設されている取付孔３ｂ内にこのクリップ６ｂを差込み固定することでオーナメントカバー６がドアトリム本体４に取り付けられている。このようなアームレスト５、オーナメントカバー６の従来例については特許文献１に詳細に記載されている。
【０００４】
【特許文献１】特開２００１−２５３２３８号公報
【発明の開示】
【発明が解決しようとする課題】
【０００５】
このように、従来のアームレスト５、オーナメントカバー６の取付構造においては、ドアトリム本体４に対してアームレスト５並びにオーナメントカバー６をそれぞれ個別に取り付けるという構成であるため、アームレスト５とオーナメントカバー６の合わせ部（図８中符号ａで示す）において、スキ、段差等が発生し易く、外観見栄えを低下させる要因となっている。また、オーナメントカバー６の内面側においては、ドアトリムロア３が位置する二重構造となっているため、側突時、この部分の剛性が高く、荷重が加わった際、乗員に加わる反発力が大きく、良好な衝撃吸収性能が確保されているとは言い難いものであった。
【０００６】
この発明は、このような事情に鑑みてなされたもので、内装トリム本体のほぼ中央にアームレストと、その下縁にオーナメントカバーを装着してなる自動車用内装部品であって、アームレストとオーナメントカバーとの合わせ部にスキ、段差等が発生することがなく、合わせ部の見栄えを高めるとともに、側突時における衝撃吸収性能を高めた自動車用内装部品を提供することを目的とする。
【課題を解決するための手段】
【０００７】
上記課題を解決するために、本発明は、車両の側壁パネルの室内面側に取り付けられる内装トリム本体と、内装トリム本体の表面ほぼ中央に装着されるアームレストと、このアームレストの下端縁に沿って連接されるオーナメントカバーとからなる自動車用内装部品において、前記アームレストは、樹脂成形体からなるアームレスト芯材の表面にアームレスト表皮を被包して構成され、アームレスト芯材の内奥側における取付部を内装トリム本体に固定する一方、アームレスト芯材の手前側において、下方向に延びる取付用舌片を設け、この取付用舌片を内装トリム本体に係着固定するとともに、アームレストの下端縁に沿ってオーナメントカバーを両者の合わせを調整しながら位置決めし、上記アームレストの取付用舌片にオーナメントカバーを固定具を介して固定したことを特徴とする。
【０００８】
ここで、内装部品としては、車両の側壁パネルの室内面側に取り付けられるドアトリム、リヤサイドトリム、又はワゴン車等のラゲージサイドトリム等に適用できる。更に、内装部品における内装トリム本体は、一体型構造でも良いが、上下二分割構造のトリムアッパーとトリムロアとを接合固定してなる接合タイプの構造にも適用できる。内装トリム本体の構成としては、合成樹脂のモールドプレス成形体、あるいは射出成形体等、単体成形品、あるいはモールドプレス成形、射出成形等により所要形状に成形してなる樹脂芯材の表面に表皮を貼着してなる積層構造体を使用することもできる。
【０００９】
次に、内装トリム本体の表面に取り付けられるアームレスト及びオーナメントカバーについては、まず、アームレストは、合成樹脂成形体からなるアームレスト芯材と、アームレスト芯材の表面を覆う外観意匠性に優れたアームレスト表皮を備えていれば良く、例えば、アームレスト芯材の表面にウレタンフォーム等のアームレストパッドを積層した後、それらの外表面を合成樹脂シートや布地シート等のアームレスト表皮で被包してなる三層構造のアームレストや、あるいはアームレスト表皮としてエラストマー樹脂等を射出成形することにより、肉厚のアームレスト表皮を成形し、アームレスト芯材の表面にアームレスト表皮を被せる二層構造のアームレストを適用することもできる。そして、アームレストの下端縁に沿って連接状に設けられるオーナメントカバーは、汎用の熱可塑性樹脂の射出成形体が適用される。
【００１０】
次いで、アームレスト並びにオーナメントカバーの内装トリム本体に対する取付構造については、アームレスト芯材の内奥側が内装トリム本体に慣用の固定手段等で固定されている。例えば、アームレスト芯材に取付用ボスが形成されており、内装トリム本体の取付孔と、この取付用ボスを合致させて裏面側からボスを締付け固定することにより、内装トリム本体にアームレストの内奥縁側を固定することができる。一方、アームレスト芯材の手前側には、取付用舌片が下方向に向けて延設形成され、この取付用舌片を内装トリム本体に爪係合するという構成が採用されている。更に、アームレストとオーナメントカバーの関係については、例えば、アームレストの取付用舌片に開口を開設し、オーナメントカバーの裏面に形成したクリップ座にクリップを装着し、このクリップを取付用舌片の開口内に係着することで両者を接合固定するが、その際、アームレストとオーナメントカバーの合わせ部にスキ、段差等が生じることがないように良好な合わせ状態を確認しながら両者を固定する。また、取付用舌片と内装トリム本体との爪係合構造としては、一方側に爪を形成し、他方側に爪と係合する受け部を形成しておけば良い。
【００１１】
従って、本発明に係る自動車用内装部品によれば、内装トリム本体に対してアームレスト、オーナメントカバーを取り付ける手順としては、まず、内装トリム本体に対してアームレストを装着した後、オーナメントカバーの取付座に装着したクリップ等の固定具をアームレストの取付用舌片に固定することにより、オーナメントカバーをアームレストに装着する。そして、その際、オーナメントカバー、アームレスト両者の合わせ部に沿ってスキ、段差等が生じることがないように調整しながらオーナメントカバーをアームレストに対して取り付けるという構成であるため、アームレストとオーナメントカバーとの合わせ部に沿ってスキ、段差等が生じることがなく、合わせ部の見栄えを著しく高めることができる。
【００１２】
次いで、本発明の好ましい実施の形態においては、前記アームレスト芯材から下方向に延設される取付用舌片の手前側に内装トリム本体の係止爪が係着する一方、取付用舌片の裏面側には、受けリブが当接し、側突時、アームレスト並びにオーナメントカバーに外力が加わった際、アームレストの取付用舌片が受けリブを乗り超えることで、アームレスト並びにオーナメントカバーの変形ストローク量を多く確保できるようにしたことを特徴とする。
【００１３】
そして、この実施の形態によれば、側突時等、車両の側面に荷重が加わった際、乗員の身体がアームレスト並びにオーナメントカバーの表面側に押し付けられれば、取付用舌片が内装トリム本体の受けリブを乗り越えることでアームレスト並びにオーナメントカバーは車両の側壁パネル側に撓み変形する際の変形ストローク量がより多く確保されるため、側突時における衝撃吸収性能を高めることができる。
【００１４】
また、本発明の好ましい実施の形態においては、前記内装トリム本体に形成される受けリブにスリット、あるいは受けリブの背面側に開口が開成され、スリット並びに開口により側突時における内装トリム本体の破断を促進させるようにしたことを特徴とする。
【００１５】
そして、この実施の形態によれば、受けリブにスリットを設けるか、あるいは受けリブの背面側に開口を開成することで、側突時、取付用舌片の受けリブ乗り越えが容易に行なえ、かつ開口により剛性を弱め、内装トリム本体の破断が容易になることから、側突時における衝撃吸収性能を更に高めることができる。
【００１６】
次いで、本発明の好ましい実施の形態においては、前記アームレストにおける取付用舌片の下端縁が下方向に延長形成され、かつこの取付用舌片の下端縁を受ける水平方向に延びる受け面が内装トリム本体に設けられていることを特徴とする。
【００１７】
そして、この実施の形態によれば、取付用舌片の下端縁を下方向に延設し、内装トリム本体（ドアトリムロア）の受け面に当接、あるいはほぼ当接する状態で対峙させるというものであるから、アームレストに上面から鉛直下方に荷重を加えた際、取付用舌片が内装トリムの受け面に当接し、そこで下向き荷重を受けるため、肘を掛けて休んだ際に過度の撓み変形がなく快適感が得られる。
【発明の効果】
【００１８】
以上説明した通り、本発明に係る自動車用内装部品は、内装トリム本体にアームレストを装着した後、アームレストとオーナメントカバーとの合わせ部にスキ、段差等が生じることがないようにアームレストにおける取付用舌片にオーナメントカバーをクリップ等の固定具を介して組み付けることで、内装トリム本体にアームレスト並びにオーナメントカバーを装着するという構成であるため、従来アームレストとオーナメントカバーとの合わせ部にスキ、段差等が生じることで外観見栄えの低下を招いていたが、この不具合を有効に解決でき、アームレスト、オーナメントカバーの合わせ部の見栄えを向上させることにより外観性能を高めることができるという効果を有する。
【００１９】
更に、アームレストを内装トリム本体に取り付ける際、取付用舌片の表面側と内装トリム本体の係止爪を係着固定する一方、取付用舌片の裏面側を内装トリム本体の受けリブで当接支持するという構成を採用し、側突時等、外部から衝撃が加わった際、取付用舌片が受けリブを乗り越えることで、アームレスト並びにオーナメントカバーがパネル側に撓み変形する際の変形ストローク量を多く確保できることにより側突時における衝撃吸収性能を高めることができるという効果を有する。
【発明を実施するための最良の形態】
【００２０】
以下、本発明に係る自動車用内装部品の好適な実施例について、添付図面を参照しながら詳細に説明する。尚、念のため付言すれば、本発明の要旨は特許請求の範囲に記載した通りであり、以下に説明する実施例の内容は、本発明の一例を単に示すものに過ぎない。
【実施例】
【００２１】
図１乃至図６は本発明の一実施例を示すもので、図１は本発明に係る自動車用内装部品の一実施例を示すドアトリムの外観図、図２，図３は同ドアトリムにおけるアームレスト、オーナメントカバーの取付構造を示すもので、図２は断面図、図３は説明図、図４は同ドアトリムにおける側突時の衝撃吸収性能を示す説明図、図５，図６は本発明に係る自動車用内装部品におけるアームレスト取付部分の変形例を示す各説明図である。
【００２２】
図１において、自動車用ドアトリム１０は、ドアトリムアッパー２０とドアトリムロア３０との上下二分割体からなるドアトリム本体４０の表面略中央部、すなわち、ドアトリムアッパー２０とドアトリムロア３０の接合部分にアームレスト５０、オーナメントカバー６０を装着して構成されている。ドアトリム本体４０を構成するドアトリムアッパー２０、ドアトリムロア３０の構成については、本発明の要部ではないため、簡単に説明する。ドアトリムアッパー２０、ドアトリムロア３０共に熱可塑性樹脂の射出成形体、モールドプレス成形体から構成されており、使用できる樹脂材料としては、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等がある。また、ドアトリムアッパー２０の中接部分は、布地シート等の中接シート２１が装着されている。尚、外観上の対比効果を考慮すれば、ドアトリムアッパー２０、ドアトリムロア３０の一方側を積層構造体、すなわち樹脂芯材の表面に表皮を一体化した二層構造体から構成しても良い。また、ドアトリム本体４０を上下二分割体ではなく一体構造とすることもできる。
【００２３】
次いで、アームレスト５０、オーナメントカバー６０の構成及びドアトリム本体４０への取付構造について説明する。まず、アームレスト５０は、製品形状を保持し、ドアトリム本体４０への取付剛性を確保するアームレスト芯材５１の表面にクッション性を付与するポリウレタンフォーム等のアームレストパッド５２を積層し、更に製品表面を布地シート、あるいは合成樹脂シート等のアームレスト表皮５３により被包して構成されている。アームレスト芯材５１としては、ポリプロピレン樹脂、ＡＢＳ樹脂、ポリアミド樹脂等の汎用の合成樹脂材料を使用した射出成形体から構成され、アームレスト５０の内奥側、すなわち、車両の側壁パネルに近い部位には、アームレスト芯材５１に取付用ボス５４が形成され、この取付用ボス５４とドアトリムアッパー２０の取付孔２２とを合わせて取付用ビス５４ａを裏面側から締付け固定することで、アームレスト５０の内奥側について複数の固定ポイントでドアトリムアッパー２０に固定する。更に、アームレスト芯材５１の手前側に近い部分には、その下面から下方向に延びる取付用舌片５５がプレート状に延設形成されており、この取付用舌片５５がオーナメントカバー６０の保持構造、及びドアトリム本体４０への取付構造に有効に活用される。ここで、オーナメントカバー６０は、図１に示すように、アームレスト５０の下縁に沿って延びており、更に、ドアグリップ６１が一体化されている。このオーナメントカバー６０についても、ポリプロピレン樹脂、ＡＢＳ樹脂、ポリアミド樹脂等の汎用の合成樹脂材料を使用した射出成形体から構成されている。
【００２４】
次いで、ドアトリム本体４０への取付構造としては、まず、ドアトリム本体４０に対してアームレスト５０を装着する。次いでアームレスト５０とオーナメントカバー６０の合わせを考慮しながら両者を取り付けることが特徴である。上記取付構造を達成するために、取付用舌片５５に矩形状の開口５６が開設されており、この開口５６内にオーナメントカバー６０の裏面に突設したクリップ座６２に装着したクリップ６３を差込み固着することで、アームレスト５０に対してオーナメントカバー６０が組み付けられる。この時、両者の合わせ部Ａにスキ、段差等が生じることがないように、合わせを考慮して両者が一体化されている。また、アームレスト５０をドアトリムロア３０に固定する構造としては、ドアトリムロア３０には、取付用舌片５５を差し込むための開口３１が開設されているとともに、取付用舌片５５の表面側には、ドアトリムロア３０の係止爪３２と係合する係止用窪み５７が形成されており、係止爪３２と係止用窪み５７とが係着することで、アームレスト５０がドアトリム本体４０に支持されており、取付用舌片５５の背面側は、ドアトリムロア３０の受けリブ３３により当接支持されている。従って、取付用舌片５５の下部はその表面側からドアトリムロア３０の係止爪３２が係着し、裏面側には受けリブ３３が当接しており、取付用舌片５５は、係止爪３２と受けリブ３３とにより挟着されることで、アームレスト５０がドアトリムロア３０に強固に取り付けられている。
【００２５】
このように、上述した構成のアームレスト５０、オーナメントカバー６０の取付構造によれば、ドアトリム本体４０にアームレスト５０を装着した後、アームレスト５０とオーナメントカバー６０との合わせ部Ａを調整しながらオーナメントカバー６０をアームレスト５０に対して装着するという構成であるため、アームレスト５０とオーナメントカバー６０との合わせ部Ａにスキ、段差等が生じることがなく、合わせ部Ａの外観見栄えを良好に維持することができることから、従来不具合を有効に解決することができる。
【００２６】
更に、上述したように、アームレスト５０における取付用舌片５５の下部側を表裏面側から係止爪３２と受けリブ３３とで挟着するという構成を採用すれば、図４に示すように、側突時等、車両の側方から衝撃が加わった際、乗員の身体がアームレスト５０、オーナメントカバー６０の表面側に押圧されれば、取付用舌片５５が矢印方向に撓み、受けリブ３３を乗り越えるため、更にアームレスト５０、オーナメントカバー６０はパネル側に撓み変形することができ、衝撃時における変形ストローク量を有効に確保することができる。よって、アームレスト５０やオーナメントカバー６０からの反発力が乗員に過度に作用することがなく、衝撃荷重を有効に吸収できるという効果がある。
【００２７】
次いで、図５は本発明の変形例を示すもので、この変形例においては、ドアトリムロア３０に形成する受けリブ３３にスリット３３ａが形成されているとともに、その背面側に矩形状の開口３４が開設されている。従って、側突時等、車両の側方から衝撃が加わった際、取付用舌片５５が受けリブ３３を乗り越える際、スリット３３ａが形成されていることで、取付用舌片５５が受けリブ３３を容易に乗り越えることが可能となり、アームレスト５０はオーナメントカバー６０の変形ストローク量をより有効に確保できるとともに、開口３４により破断がし易くなり、衝撃吸収性能をより向上させることができる。
【００２８】
また、図６に示すように、取付用舌片５５の下端縁５５ａを更に延長形成し、取付用舌片５５の下端縁５５ａをドアトリムロア３０の受け面３５に当接させることで、アームレスト５０に上面から下方に向かう荷重を加えても過度の撓み変形がなく、快適性を高めることができる。尚、上述した実施例は、アームレスト５０の構成として、アームレスト芯材５１、アームレストパッド５２、アームレスト表皮５３の三層構造体を使用したが、アームレスト芯材５１にエラストマー樹脂、ゴム系材料等、軟質材料を射出成形により厚肉に形成したアームレスト表皮を被包する二層構造のアームレスト５０を採用することもできる。
【産業上の利用可能性】
【００２９】
以上説明した実施例は、ドアトリムアッパー２０とドアトリムロア３０の上下二分割体からなるドアトリム本体４０にアームレスト５０、オーナメントカバー６０を装着した構成であるが、ドアトリム本体４０は一体型でも良く、また、ドアトリム１０以外にも、リヤサイドトリム、あるいはワゴン車等のラゲージサイドトリム等に適用することもできる。そして、アームレスト５０は、アームレスト芯材５１、アームレストパッド５２、アームレスト表皮５３による三層構造体でも、アームレスト芯材５１の表面にエラストマー樹脂、ゴム系材料等の軟質樹脂からなるアームレスト表皮５３を被せる二層構造体を採用することもできる。更に、オーナメントカバー６０をアームレスト５０の取付用舌片５５に組み付ける際、クリップ６３を使用したが、樹脂爪を使用して、オーナメントカバー６０を取付用舌片５５に保持する構成を採用することもできる。
【図面の簡単な説明】
【００３０】
【図１】本発明に係る自動車用内装部品の一実施例である自動車用ドアトリムを示す外観図である。
【図２】図１中II−II線断面図である。
【図３】図１に示すドアトリムにおけるアームレストをドアトリム本体に取り付ける構造を示す説明図である。
【図４】図１に示すアームレスト並びにオーナメントカバーの側突時における衝撃吸収作用を示す説明図である。
【図５】本発明に係る自動車用内装部品の変形例を示すもので、アームレストとドアトリム本体との関係を示す説明図である。
【図６】本発明に係る自動車用内装部品の変形例を示すもので、アームレストとドアトリム本体との関係を示す説明図である。
【図７】従来のドアトリムを示す外観図である。
【図８】図７中VIII−VIII線断面図である。
【図９】図７中IX-IX線断面図である。
【符号の説明】
【００３１】
１０  自動車用ドアトリム
２０  ドアトリムアッパー
３０  ドアトリムロア
３１  開口（取付用舌片挿入用）
３２  係止爪
３３  受けリブ
３３ａ  スリット
３４  開口（破断促進用）
３５  受け面
４０  ドアトリム本体
５０  アームレスト
５１  アームレスト芯材
５２  アームレストパッド
５３  アームレスト表皮
５４  取付用ボス
５５  取付用舌片
５６  開口
５７  係止用窪み
６０  オーナメントカバー
６１  アシストグリップ
６２  クリップ座
６３  クリップ
Ａ  合わせ部
【図１】
2008006906.tif 000003
【図２】
2008006906.tif 000004
【図３】
2008006906.tif 000005
【図４】
2008006906.tif 000006
【図５】
2008006906.tif 000007
【図６】
2008006906.tif 000008
【図７】
2008006906.tif 000009
【図８】
2008006906.tif 000010
【図９】
2008006906.tif 000011